(57)【要約】【課題】現状の光源装置の交換（総取り換え）を不要とすることで、環境に優しく、光源に対して最適な電力を供給することにより、省エネルギー化を実現可能とする光源装置を提供する。【解決手段】一面に開口部１ａが設けられた箱状の器具１と、開口部１ａを閉塞するように装着された反射板２と、器具１の内部に設置されて交流電源ＡＣに接続する入力電源線３ａ及び出力電源線３ｂ，３ｃを有する安定器３と、器具１の内部に設置されて交流電源ＡＣに接続する入力電源線４ａ及び出力電源線４ｂ，４ｃが接続された電源部４と、反射板２の表面に露出して設置されて出力電源線４ｂ，４ｃの先端部に接続されたソケット５と、反射板２の表面に露出して設置されて円筒状のガラス管６ａの両端部に発光ダイオード素子を搭載した電極端子部６ｂ，６ｃを装着した光源部と、電極端子部６ｂ、６ｃとソケット５との間に装着されたアダプター７とを備え、安定器３の入力電源線３ａ及び出力電源線３ｂ，３ｃが電気的に遮断されている。【選択図】図１
2009004342.tif 000002
【特許請求の範囲】
【請求項１】
一面に開口部が設けられた箱状の器具と、
前記開口部を閉塞するように装着された反射板と、
前記器具の内部に設置され、且つ交流電源に接続する入力電源線及び出力電源線を有する安定器と、
前記器具の内部に設置され、且つ前記交流電源に接続する入力電源線及び複数組の出力電源線が接続された電源部と、
前記反射板の表面に露出して設置され、且つ前記複数の出力電源線の先端部に接続された一対のソケットと、
前記反射板の表面に露出して設置され、且つ円筒状のガラス管の両端部に発光ダイオード素子を搭載した電極端子部を装着した光源部と、
前記電極端子部と前記ソケットとの間に装着されたアダプターと、
を少なくとも備え、
前記安定器の前記入力電源線及び複数組の出力電源線が電気的に遮断されていることを特徴とする光源装置。
【請求項２】
前記発光ダイオード素子は、赤色，緑色及び青色発光の発光ダイオード素子であることを特徴とする請求項１に記載の光源装置。
【請求項３】
前記電源部は、交流電源部であることを特徴とする請求項１または請求項２に記載の光源装置。
【請求項４】
前記電源部は、直流電源部であることを特徴とする請求項１または請求項２に記載の光源装置。
【請求項５】
前記アダプターは、現行の蛍光灯との識別用として装着したことを特徴とする請求項１乃至請求項４の何れかに記載の光源装置。
【発明の詳細な説明】
【技術分野】
【０００１】  本発明は、照明や看板等に用いて好適な光源光が得られる光源装置に係り、特に光源の省エネルギー化が図れる光源装置に関するものである。
【背景技術】
【０００２】  現在、光源装置に用いられている光源には、蛍光灯等が用いられ、これまでそれぞれに明るさや色の鮮やかさの改善、省エネルギー化、高効率化、長寿命化の改善がなされてきた。【０００３】  一方、日進月歩の世界の中で、新たな光源装置が提案され、より効率化が優れ、また、省エネルギー化が促進された光源装置の開発も進んでいる。【０００４】  近年、この種の光源装置を採用するにあたって、光源装置の全体そのものの交換が必要となり、大幅な粗大塵の発生等、環境問題の発生が二次的な要因となっている。
【発明の開示】
【発明が解決しようとする課題】
【０００５】  しかしながら、これらの光源装置の交換は、環境問題の観点から見ると、光源装置の破棄、光源装置を撤去した際の壁紙、天井周りの改修工事等の大幅な手直しが要求され、光源装置の交換により付帯費用が嵩むという課題があった。特に、室内の広さや交換数量の増大に応じてそれ相応の撤去費用及び新規購入に過大な費用を要するという課題があった。【０００６】  また、光源装置を交換しないで、光源のみを交換する場合についても、光源側に何らかの補助回路を追加するにより、解決を図れる反面、光源装置そのものが高価な製品となったり、また、電力の最適利用ができないという課題があった。【０００７】  したがって、本発明は前述した従来の課題を解決するためになされたものであり、その目的は、現状の光源装置の交換（総取り換え）を不要とすることで、環境に優しく、また、光源に対して最適な電力を供給することにより、省エネルギー化を実現可能とする光源装置を提供することにある。
【課題を解決するための手段】
【０００８】  このような目的を達成するために本発明による光源装置は、電源部と光源部とから構成され、電源部は光源部に対して最適な電力供給を行う。これらの電源部及び光源部を現行の光源装置の器具内に組み込み、現行の入力電力及び光源部に供給する端子部を再利用することにより、器具を再利用することで、背景技術の課題を解決することができる。【０００９】  なお、本発明は、前述した各構成及び後述する実施の形態に記載される構成に限定されるものではなく、本発明の技術思想を逸脱することなく、種々の変更が可能であることは言うまでもない。
【発明の効果】
【００１０】  本発明による光源装置によれば、現行の設置された光源装置の器具を再利用することができるので、廃棄物の大幅な低減が図れるという極めて優れた効果が得られる。【００１１】  また、本発明によれば、発光ダイオード素子の発光効率を最大限に有効利用することができるので、省エネルギー化を図ることができるという極めて優れた効果が得られる。【００１２】  また、本発明によれば、現行の光源装置の交換に伴う工期の大幅な短縮が可能となるという極めて優れた効果が得られる。【００１３】  また、本発明によれば、現状の光源装置の交換に伴う壁紙の張り替え、天井等その他に付随する交換等を考慮する必要がなくなるので、コスト低減にも大幅に寄与することきでるという極めて優れた効果が得られる。
【発明を実施するための最良の形態】
【００１４】  以下、本発明の具体的な実施の形態について、実施例の図面を参照して詳細に説明する。
【実施例１】
【００１５】  図１は、本発明による光源装置の実施例１の構成を説明する図であり、図１（ａ）は正面側から見た要部平面図、図１（ｂ）は図１（ａ）の内部の模式平面図である。図１（ａ）及び図１（ｂ）において、１は一面に開口部１ａが設けられた箱状の器具、２は器具１の開口部１ａを閉塞するように装着された反射板、３は器具１の内部に設置されて交流電源ＡＣに接続する入力電源線３ａ及び出力電源線３ｂ，３ｃを有する現行の蛍光灯用の安定器である。【００１６】  また、４は器具１の内部に設置されて交流電源ＡＣに接続する入力電源線４ａ及び出力電源線４ｂ、４ｃが接続された電源部、５は反射板２の表面に露出して設置されて出力電源線４ｂ，４ｃの先端部に接続された一対のソケット、６は反射板２の表面に露出して設置されて円筒状のガラス管６ａの両端部に管内部に例えば赤、緑、赤の３色発光の発光ダイオード素子を搭載した電極端子部が６ｂ，６ｃが装着された光源部、７は電極端子部６ｂ、６ｃとソケット５との間に装着されたアダプターであり、このアダプター７は現行の蛍光灯と識別するめに挿入されている。【００１７】  このような構成された光源装置は、図１（ｂ）に示したように各種の構成部材が器具１内の所定の位置に固定されて設置され、電源線により配線されて電気的に接続されている。そして、現行の蛍光灯用器具としての安定器３はその入力電源線３ａ及び出力電源線３ｂ，３ｃが図中、適当な×印の位置で切断されて電気的に遮断され、使用不可能な状態となって設置されている構造となっている。【００１８】  また、電源部４は、光源部６のガラス管６ａの電極端子部６ｂ、６ｃに供給する最適な電圧としては、交流電源１００Ｖでも良く、また、交流電圧を低圧に降圧して供給しても良い。さらには、低圧交流を直流に変換して直流電圧として供給しても良い。したがって、電圧供給手段としては何れを用いても良く、特に限定されるものではない。
【比較例１】
【００１９】  図２は、本発明による光源装置の比較例１の構成を説明する図であり、図２（ａ）は正面側から見た要部平面図、図２（ｂ）は図２（ａ）の内部の模式平面図である。図２（ａ）及び図２（ｂ）において、１は一面に開口部１ａが設けられた箱状の器具、２は器具１の開口部１ａを閉塞するように装着された反射板、３は器具１の内部に設置されて交流電源ＡＣに接続する入力電源線３ａ及び出力電源線３ｂ，３ｃを有する蛍光灯用の安定器、５は反射板２の表面に露出して設置されて出力電源線３ｂ，４ｂの先端部に接続された一対のソケット、６Ａは一対のソケット５間に装着された現行の蛍光管である。
【００２０】  上記構成による比較例１と比べて本実施例による構成によれば、電源部４及び光源部６を器具１内に新規に組み込み、現行の入力電圧及び光源部４に供給する端子部６ｂ，６ｃを再利用することができるので、現行の器具１等を新規に交換するこなく、再利用することができる。
【図面の簡単な説明】
【００２１】
【図１】  本発明による光源装置の実施例１の構成を示す図であり、図１（ａ）は正面から見た要部平面図、図１（ｂ）は図１（ａ）の内部の模式平面図である。
【図２】  本発明に係わる光源装置の比較例１の構成を示す図であり、図２（ａ）は図２（ａ）は正面から見た要部平面図、図２（ｂ）は図２（ａ）の内部の模式平面図である。
【符号の説明】
【００２２】  １・・・器具、１ａ・・・開口部、２・・・反射板、３・・・安定器、３ａ・・・入力電源線、３ｂ・・・出力電源線、３ｂ・・・出力電源線、４・・・電源部、４ａ・・・入力電源線、４ｂ・・・出力電源線、４ｃ・・・出力電源線、５・・・ソケット、６・・・光源部、６ａ・・・ガラス管、６ｂ・・・電極端子部、６ｃ・・・電極端子部、７・・・アダプター。
【図１】
2009004342.tif 000003
【図２】
2009004342.tif 000004